(57)【要約】      （修正有）【課題】幼児同乗時の低速走行中にふらつくことがなく、乗せ降ろしの時にも安定で、扱い易い前２輪自転車を提供する。【解決手段】前２輪の自転車において、左右輪を一本の車軸４に軸支し、車軸中央から前方へ伸び略鉛直に配設した左右転舵軸５とハンドルを支持するステアリング軸２とを連結部材７にて回転自在に繋いだことを特徴とする。左右輪を一本の車軸に取り付けた、いわゆるリジッドアクスルのため、自転車は揺動せず倒れ難いという利点がある。また、車軸を左右に転舵する回転軸とハンドルを支持するステアリング軸の２軸を個別にフレーム１に配設する事により、幼児用椅子が低く設置でき、旋回時も倒れ難く、且つ自転車の総幅をコンパクトに収める事ができる。【選択図】図１
0003201654.tif 000002
【実用新案登録請求の範囲】
【請求項１】
本考案は、前２輪の自転車において、左右輪を一本の車軸に軸支し、車軸中央から前方へ伸び略鉛直に配設した左右転舵軸と、フレーム上に別に配設したハンドルを支持するステアリング軸とを連結部材にて繋いだフレーム構造と操向装置である。
【考案の詳細な説明】
【技術分野】
【０００１】
本考案は、子供を乗せても倒れ難い前２輪自転車の構造及び操向装置に関するものである。
【背景技術】
【０００２】
平成２１年７月１日に道路交通規則が一部改正され、幼児を２人まで乗せる事ができるようになった。その後、幼児同乗用の自転車が発売され普及してきているが、通常の自転車も含めて、子供を乗せた自転車の転倒は大きな社会問題となっている。  独立行政法人国民生活センターが平成２３年９月２２日に発表した資料では、７割の回答者が子供を乗せていた時に転倒した、又は転倒しそうになった経験があると報じている。
【０００３】
幼児同乗用の自転車は前後２輪で、前輪に２０インチ程の小径ホイールを装着し、フレームのハンドル支持パイプを短くして幼児用椅子をハンドルパイプの間に設置している。このように重心を下げる工夫をしても、操向装置であるハンドルに設置した椅子に幼児を乗せる事から、走行中にふらつく問題があった。
【０００４】
幼児同乗用の自転車の多くは幅の広いスタンドを装着し、ハンドルをロックして停車時の安定性を向上させているが、幼児の乗せ降ろし時や子供が振り向いた時などの転倒の問題があった。
【０００５】
この改善策として、３輪とする車両がある。旋回時に横転し難いように、車体が揺動するタイプと固定式で前もしくは後２輪の取り付け幅を広くしたタイプがあるが、揺動するタイプでは極低速でふらき、幅広タイプでは車両が大きくなり駐輪場や日常の取り回しが煩雑になる問題があった。
【先行技術文献】
【特許文献】
【０００６】
【特許文献１】特開２００３−０７２６４３  前２輪自転車  丸石自転車株式会社
【特許文献２】実登３１９１００４  前２輪自転車、およびその前輪用懸架・操舵装置  伊藤博司
【特許文献３】特開昭４９−１３７２４６  乳母車３輪自転車  増田行男
【非特許文献】
【０００７】
【非特許文献１】独立行政法人  国民生活センター  商品テスト結果２０１１年９月２２日  子どもを自転車に乗せたときの転倒に注意！
【考案の概要】
【考案が解決しようとする課題】
【０００８】
解決しようとする問題点は、幼児同乗用の自転車が低速走行中にふらつく、乗せ降ろしの時に不安定である、そして既存の前２輪の自転車は扱い難いという点である。
【課題を解決するための手段】
【０００９】
本考案は、前２輪の自転車において、左右輪を一本の車軸に軸支し、車軸中央から前方へ伸び略鉛直に配設した左右転舵軸とフレーム上に別に配設したハンドルを支持するステアリング軸とを連結部材にて繋いだフレーム構造と操向装置を主要な特徴とする。
【考案の効果】
【００１０】
本考案の前２輪の自転車は、左右輪を一本の車軸に取り付けた、いわゆるリジッドアクスルのため、自転車は揺動せず倒れ難いという利点がある。また、車軸を左右に転舵する回転軸とハンドルを支持するステアリング軸の２軸をフレームに配設する事により、幼児用椅子が低く設置でき、且つ自転車の総幅を６００ｍｍ以内にコンパクトに収める事が可能となる。
【図面の簡単な説明】
【００１１】
【図１】３輪自転車の実施方法を示した側面図である。
【図２】３輪自転車の実施方法を示した上面図である。
【図３】同実施方法でハンドルを左へ切った上面図である。
【図４】３輪自転車の実施方法を示した斜視図である。
【図５】同実施方法でハンドルを左へ切った状態を示した斜視図である。
【図６】前後分離可能なフレームと補助輪を設置した実施例の側面図である。
【考案を実施するための形態】
【００１２】
ペダルで駆動される後輪を支えるリヤフレームと着座用サドルポストを備えたメインフレーム１は前方に回動可能に配され上端にハンドルを設けたステアリング軸２を取り付けるパイプ３と、前端に前２輪を取り付けた車軸４から前上方に伸びた転舵軸５を取り付けるパイプ６の両軸を設置した車体フレームである。左右一対の前２輪が軸支された車軸４は前方に該転舵軸５と一体で構成され、車体フレームに挿嵌された状態では転舵軸を中心として左右前輪と一体で回転する。前述の上端にハンドルを設けたステアリング軸２と転舵軸５とは夫々の軸に固着されたレバーを介して連結部材７で回転自在に連結され、ハンドルを切った方向へ車軸４が転舵される。
【００１３】
図１は、本考案装置の一実施例の側面図であって、前２輪の幼児同乗用の３輪自転車で、前２輪は幼児用椅子の低重心化を狙い小径ホイールを装備している。この例では、後輪は乗り心地やペダル踏力の伝達効率の良さから普通径の車輪を装着している。ハンドルを設けたステアリング軸と前輪の配置が自由に設定できるので、幼児用椅子を低く設定したり、前輪を幼児の足より前に置き、衝突した場合の安心感を得る事ができる。
【００１４】
図２は本考案装置の一実施例の上面図であって、低重心化できたことと、後述する旋回時に倒れ難いことから、車体全幅をコンパクトに収める事が可能となった。
【００１５】
図３はハンドルを左に切った時の実施例の上面図であって、ハンドルを設けたステアリング軸と前２輪車軸を転舵する転舵軸とが分かれているので、ハンドルの回転軌跡と前２輪の回転軌跡は異なる。図のようにハンドルを左に切った時、ハンドルに設置した幼児用椅子は左側に中心が移動するが、前２輪の右輪は外側へはみ出し、左輪は車体中心方向へ移動する。これにより重心は旋回の内側へ移動し、前２輪の接地点は外側へ移動するため、旋回時の遠心力に抗し、倒れ難くなる。
【実施例】
【００１６】
以下に本考案装置を図１〜３の実施例に基づいて詳細に説明する。
メインフレーム１の後部は通常の自転車のように、ペダルと駆動力を伝える後輪を支えるリヤフレームとサドルポストの後三角形を有し、前部はまたいで乗りやすいように低い位置に水平パイプが配置され、その前方に略鉛直方向に軸を挿入する２本のヘッドパイプ３，６が一体で構成された自転車用フレームである。ステアリング軸２はメインフレーム１の前から２番目のヘッドパイプ３に回転自在に軸支され、上端にハンドルを嵌合固定し、下端には左右に伸びたレバー８を固着したものである。前輪用車軸４は左右１対の車輪を繋ぐパイプであり、左右端には車輪を回転自在に軸支できる軸が一体化され、車軸中央部には前方へ伸びる部材から上方へ転舵軸５が一体で構成されている。この転舵軸５はメインフレームの前端部のヘッドパイプ６に回転自在に軸支され、上端に左右に伸びたレバー９が一体に回転するように嵌合固定される。ステアリング軸に固着されたレバー８と転舵軸に固結されたレバー９は左右両端で連結部材７にて回転自在に連結され、ステアリング軸２と転舵軸５は同じ方向へほぼ同じ角度で回転する。
【００１７】
図４は一実施例の斜視図であり、ステアリング軸２からそれに固着されたレバー８と転舵軸５とそれに固結されたレバー９とを繋ぐ連結部材７、及び前輪用車軸４を図示している。
【００１８】
図５はハンドルを左に切った時の実施例の斜視図であり、ハンドルを切ることにより、ステアリング軸レバー８の左右端に連結された連結部材７が転舵軸レバー９を押し引きして、転舵軸５は左に回転し、前二輪はハンドルを切った方向と同じ方向へ転向する。
【００１９】
また本考案装置は駆動を人力だけに限定するものではなく、電動補助システムでも可能であり、車体も前後分離可能にして、切り離した前部を乳母車として利用し、駐輪場や建物内の移動にも便利なように改造した自転車にも適用が可能である。  図６は前部フレーム後部に折り畳み可能な補助輪を設置した前後分離可能な車体の実施例である。
【産業上の利用可能性】
【００２０】
本考案はメインフレームと前輪車軸の形体は新規だが、他の多くの部品は既存の自転車部品から転用でき、前述のフレームと車軸も一般的な製造方案で作製できることから、安価で作成可能である。  転倒し難い幼児同乗用の自転車として、利用者は子供の両親のみならず、高齢者等の２輪自転車に乗る事が不安な人も低速運転でき、利用範囲が広いことも有用である。
【符号の説明】
【００２１】
１    メインフレーム
２    ステアリング軸
３    メインフレーム上のステアリング軸用パイプ
４    前輪用車軸
５    前輪用車軸上の転舵軸
６    メインフレーム上の転舵軸用パイプ
７    連結部材
８    ステアリング軸レバー
９    転舵軸レバー
【図１】
0003201654.tif 000003
【図２】
0003201654.tif 000004
【図３】
0003201654.tif 000005
【図４】
0003201654.tif 000006
【図５】
0003201654.tif 000007
【図６】
0003201654.tif 000008
【手続補正書】
【提出日】平成27年10月21日(2015.10.21)
【手続補正１】
【補正対象書類名】実用新案登録請求の範囲
【補正対象項目名】全文
【補正方法】変更
【補正の内容】
【実用新案登録請求の範囲】
【請求項１】
左右の前輪が一本の車軸に軸支され、前記車軸中央から前方へ伸び略垂直上方
に伸びるように配設された左右転舵軸と、これと異なる角度で配設されたハンド
ルを支持するステアリング軸とが連結部材にて連結されていることを特徴とする
前２輪自転車。